(57)【要約】【課題】印刷媒体の使用時の画像形状を所望の長さに近いものにする。【解決手段】印刷装置は、インクジェットプリンタ１と印刷制御装置７０とで構成されている。インクジェットプリンタ１は、Ｔシャツを固定するプラテン１２と、Ｔシャツの印刷したい部分がプラテン１２の支持面１６に来るように位置決めして、伸張させた状態に固定する固定フレーム１５と、Ｔシャツにインクを吐出するインクジェットヘッドとを含んでいる。印刷制御装置７０は、画像データ拡縮部を備えている。画像データ拡縮部は、プラテン１２にＴシャツを固定したときの伸縮率及びＴシャツを着用したときの伸縮率に応じてＴシャツに印刷する画像の印刷画像データを拡縮して拡縮印刷画像データを作成する。そして、Ｔシャツに所望画像を印刷する際に、拡縮印刷画像データがインクジェットプリンタ１に送信されてインクジェットヘッドによりＴシャツに画像が印刷される。【選択図】        図１
2004291461.tif 000002
【特許請求の範囲】
【請求項１】
印刷媒体を支持する支持面を有する支持体と、
前記支持面上において伸縮性のある印刷媒体を伸縮させた状態で固定するための固定手段と、
前記固定手段による印刷媒体の伸縮率及び印刷媒体の使用時の伸縮率に応じて印刷画像データを拡縮するための画像データ拡縮手段と、
前記画像データ拡縮手段で拡縮された拡縮印刷画像データに基づいて、前記支持面上の印刷媒体にインクを吐出するインク吐出部とを備えていることを特徴とする印刷装置。
【請求項２】
前記画像データ拡縮手段は、前記インク吐出部から吐出されたインクで印刷媒体に印刷された画像が、印刷媒体の使用時に所望サイズとなるように印刷画像データを拡縮することを特徴とする請求項１に記載の印刷装置。
【請求項３】
印刷媒体の種類ごとにその固定時の伸縮率及び使用時の伸縮率を記憶するための記憶手段と、
前記記憶手段に記憶された伸縮率に係る印刷媒体の種類を操作者に選択させるための操作部とをさらに備えており、
前記画像データ拡縮手段が、前記操作部によって選択された印刷媒体に関して前記記憶手段に記憶された固定時の伸縮率及び使用時の伸縮率に基づいて、印刷画像データを拡縮することを特徴とする請求項２に記載の印刷装置。
【請求項４】
前記固定手段が、前記支持面上において印刷媒体を伸張させた状態で固定すると共に、
前記画像データ拡縮手段が、前記固定手段による印刷媒体の伸張率に応じて印刷画像データを拡大することを特徴とする請求項１〜３のいずれか１項に記載の印刷装置。
【請求項５】
前記固定手段が、前記支持面上において印刷媒体を原形に回復可能な範囲で最大限に伸張させた状態で固定可能であることを特徴とする請求項４に記載の印刷装置。
【請求項６】
前記固定手段が、前記支持面上において印刷媒体を直交する２方向に伸縮させた状態で固定すると共に、
前記画像データ拡縮手段が、前記固定手段による印刷媒体の伸縮率に応じて印刷画像データを前記２方向に拡縮することを特徴とする請求項１〜５のいずれか１項に記載の印刷装置。
【請求項７】
印刷媒体が布帛であることを特徴とする請求項１〜６のいずれか１項に記載の印刷装置。
【請求項８】
伸縮性のある印刷媒体を伸縮させた状態で固定する固定工程と、
前記固定工程での印刷媒体の伸縮率及び印刷媒体の使用時の伸縮率に応じて、印刷画像データを拡縮する画像データ拡縮工程と、
前記画像データ拡縮工程で拡縮された拡縮印刷画像データに基づいて、印刷媒体にインクを吐出するインク吐出工程とを備えていることを特徴とする印刷方法。
【請求項９】
印刷画像データを拡縮する画像データ拡縮工程と、
前記画像データ拡縮工程での印刷画像データの拡縮率及び印刷媒体の使用時の伸縮率に応じて、伸縮性のある印刷媒体を伸縮させた状態で固定する固定工程と、
前記画像データ拡縮工程で拡縮された拡縮印刷画像データに基づいて、印刷媒体にインクを吐出するインク吐出工程とを備えていることを特徴とする印刷方法。
【発明の詳細な説明】
【０００１】
【発明の属する技術分野】
本発明は、伸縮性のある印刷媒体にインクを吐出して画像を印刷する印刷装置及び印刷方法に関する。
【０００２】
【従来の技術】
印刷媒体上に画像を印刷する印刷装置の１つに、インクジェットプリンタがある。近年、インクジェットプリンタのインクジェットプリント技術は、紙やフィルムの分野のみならず、布帛の染色技術分野においても、幅広く利用されてきている。
【０００３】
例えば、伸縮性のある印刷媒体（Ｔシャツ、水着など）に画像をインクジェットプリンタで印刷する場合において、前処理として印刷媒体にインクの滲みや浸透を制御するための処理液を付与しているので、それ自体の自重が重くなるとともに張力がかかり、印刷媒体が伸縮変形する。そのため、規格通りの画像サイズで印刷媒体に印刷した後、それが伸縮から解放されたときに規格通りの画像サイズとならないという問題があった。
【０００４】
前述の問題を解決するため、例えば、特許文献１に記載されているように、製品規格の布帛密度とインクジェットプリント時の布帛密度の変化を測定し、張力などにより伸縮変形された布帛に合わせて、印刷する絵柄（画像）データを拡大縮小してインクジェットプリント装置で印刷する技術について提案されている。これによると、前処理時に付与された処理液による布帛の伸縮比率に関わらず、布帛の最終製品において歪のない最適なプリント画像を形成することができる。
【０００５】
【特許文献１】
特開２０００−２９０８８２号公報（第３−６頁、図１−７）
【０００６】
【発明が解決しようとする課題】
しかしながら、特許文献１の技術におけるインクジェットプリント装置で伸縮性のある布帛に形成された画像は最終製品時（製品販売時）に規格サイズとなるため、伸縮性の布帛がＴシャツ又は水着等の場合であったときに、画像が形成されたＴシャツ又は水着を着用（使用）すると、それの画像は縦又は横方向に伸びて拡大されるので、使用時の画像形状が所望の長さよりも長くなってしまう問題がある。
【０００７】
そこで、本発明は、使用時の画像形状を所望の長さに近いものとすることができる印刷装置及び印刷方法を提供することを目的とする。
【０００８】
【課題を解決するための手段】
本発明の請求項１に記載の印刷装置は、印刷媒体を支持する支持面を有する支持体と、前記支持面上において伸縮性のある印刷媒体を伸縮させた状態で固定するための固定手段と、前記固定手段による印刷媒体の伸縮率及び印刷媒体の使用時の伸縮率に応じて印刷画像データを拡縮するための画像データ拡縮手段と、前記画像データ拡縮手段で拡縮された拡縮印刷画像データに基づいて、前記支持面上の印刷媒体にインクを吐出するインク吐出部とを備えていることを特徴とするものである。
【０００９】
これによると、印刷媒体の伸縮率及び印刷媒体の使用時の伸縮率に応じて拡縮された拡縮印刷画像データに基づいて、印刷媒体にインクを吐出して画像を印刷することで、Ｔシャツなどの印刷媒体の製品販売時における画像を規格サイズとしたものより、印刷媒体の使用時の画像形状を所望の長さに近いものとすることができる。
【００１０】
本発明の請求項２に記載の印刷装置は、前記画像データ拡縮手段が、前記インク吐出部から吐出されたインクで印刷媒体に印刷された画像が、印刷媒体の使用時に所望サイズとなるように印刷画像データを拡縮することを特徴とするものである。
【００１１】
これによると、印刷媒体の使用時に所望サイズとなるように印刷画像データを画像データ拡縮手段で拡縮することで、印刷媒体の画像が使用時に所望サイズの状態となって印刷媒体の使用時における画像形状を所望の長さに近いものとすることができる。
【００１２】
本発明の請求項３に記載の印刷装置は、印刷媒体の種類ごとにその固定時の伸縮率及び使用時の伸縮率を記憶するための記憶手段と、前記記憶手段に記憶された伸縮率に係る印刷媒体の種類を操作者に選択させるための操作部とをさらに備えており、前記画像データ拡縮手段が、前記操作部によって選択された印刷媒体に関して前記記憶手段に記憶された固定時の伸縮率及び使用時の伸縮率に基づいて、印刷画像データを拡縮することを特徴とするものである。
【００１３】
これによると、印刷媒体の固定時の伸縮率及び使用時の伸縮率に基づく、印刷画像データを容易に拡縮することが可能となり作業性が向上する。
【００１４】
本発明の請求項４に記載の印刷装置は、前記固定手段が、前記支持面上において印刷媒体を伸張させた状態で固定すると共に、前記画像データ拡縮手段が、前記固定手段による印刷媒体の伸張率に応じて印刷画像データを拡大することを特徴とするものである。
【００１５】
これによると、伸張した印刷媒体の伸張率に応じて印刷画像データを拡大することで、印刷媒体の使用時の画像形状を所望の長さに近いものとすることができるとともに、十分な画像の色濃度を保つことが可能となる。
【００１６】
本発明の請求項５に記載の印刷装置は、前記固定手段が、前記支持面上において印刷媒体を原形に回復可能な範囲で最大限に伸張させた状態で固定可能であることを特徴とするものである。
【００１７】
これによると、原形に回復可能な範囲で最大限に伸張された印刷媒体の固定時の伸縮率に基づいて、印刷画像データを拡大させた場合に、印刷媒体の使用時における画像の色濃度がより濃くなるので鮮明な画像を有する印刷媒体を得ることができる。
【００１８】
本発明の請求項６に記載の印刷装置は、前記固定手段が、前記支持面上において印刷媒体を直交する２方向に伸縮させた状態で固定すると共に、前記画像データ拡縮手段が、前記固定手段による印刷媒体の伸縮率に応じて印刷画像データを前記２方向に拡縮することを特徴とするものである。
【００１９】
これによると、直交する２方向に伸縮させた印刷媒体の固定時の伸縮率に応じて印刷画像データを２方向に拡縮させることで、使用時における印刷媒体の画像の縦横比を所望の値とすることができる。
【００２０】
本発明の請求項７に記載の印刷装置は、印刷媒体が布帛であることを特徴とするものである。
【００２１】
これによると、Ｔシャツなどの布帛に画像を印刷した場合において、Ｔシャツ着用時の画像形状を所望の長さに近いものとすることができる。
【００２２】
本発明の請求項８に記載の印刷方法は、伸縮性のある印刷媒体を伸縮させた状態で固定する固定工程と、前記固定工程での印刷媒体の伸縮率及び印刷媒体の使用時の伸縮率に応じて、印刷画像データを拡縮する画像データ拡縮工程と、前記画像データ拡縮工程で拡縮された拡縮印刷画像データに基づいて、印刷媒体にインクを吐出するインク吐出工程とを備えていることを特徴とするものである。
【００２３】
これによると、固定工程で印刷媒体を伸縮させた状態で固定するとともに、固定工程での印刷媒体の伸縮率及び使用時の伸縮率に応じて画像データ拡縮工程で印刷画像データを拡縮させて、画像データ拡縮工程での拡縮印刷画像データに基づいて、インク吐出工程で印刷媒体にインクを吐出しつつ画像を印刷するので、Ｔシャツなどの印刷媒体の製品販売時における画像を規格サイズとしたものと比較して、印刷媒体の使用時の画像形状が所望の長さに近い印刷媒体を得ることができる。
【００２４】
本発明の請求項９に記載の印刷方法は、印刷画像データを拡縮する画像データ拡縮工程と、前記画像データ拡縮工程での印刷画像データの拡縮率及び印刷媒体の使用時の伸縮率に応じて、伸縮性のある印刷媒体を伸縮させた状態で固定する固定工程と、前記画像データ拡縮工程で拡縮された拡縮印刷画像データに基づいて、印刷媒体にインクを吐出するインク吐出工程とを備えていることを特徴とするものである。
【００２５】
これによると、画像データ拡縮工程で印刷画像データを拡縮するとともに、固定工程で画像データ拡縮工程での印刷画像データの拡縮率及び印刷媒体の使用時の伸縮率に応じて、印刷媒体を伸縮させた状態で固定させ、画像データの拡縮工程での拡縮印刷画像データに基づいて、インク吐出工程で印刷媒体にインクを吐出しつつ画像を印刷するので、印刷媒体の使用時の画像形状が所望の長さに近い印刷媒体を得ることができる。
【００２６】
【発明の実施の形態】
以下、図面に基づいて本発明の好適な実施の形態を説明する。
【００２７】
［印刷装置の全体構成］
図１は、本発明の一実施の形態に関わる印刷装置の全体的な構成を示す概略図である。図２は、図１に示すインクジェットプリンタの全体的な構成を示す正面図である。図１に示すように印刷装置は、印刷媒体にインクを吐出して所望画像を印刷するインクジェットプリンタ１とインクジェットプリンタ１で印刷媒体に印刷される所望画像の画像データの作成及びインクジェットプリンタ１を制御する印刷制御装置７０とがインターフェースを介して接続されて構成されている。
【００２８】
インクジェットプリンタ１は、図２に示すように枠体上のフレーム２を備えている。フレーム２は、プリンタの底部に位置する水平部２ｈと、水平部２ｈの両端から垂直に立ち上がる垂直部２ｖとを有している。
【００２９】
左右の垂直部２ｖの上部同士を連結するように、スライドレール３が水平に支架されている。スライドレール３にはキャリッジ４が、スライドレール３の長手方向（主走査方向）に沿って摺動自在に備えられている。このキャリッジ４の下面には、４色のインクを吐出させるために各色ごとに配設された計４個の圧電式のインクジェットヘッド（インク吐出部）５が設けられている。
【００３０】
左右の垂直部２ｖの上部にはそれぞれプーリ６，７が支持され、一側のプーリ６には、垂直部２ｖによって支持されるモータ８のモータ軸が連結されている。両プーリ６，７の間には無端ベルト９が架け渡されており、キャリッジ４はこの無端ベルト９の適宜の部分に固定される。
【００３１】
このような構成により、一側のプーリ６がモータ８の駆動により正逆回転されると、それに伴ってキャリッジ４がスライドレール３の長手方向（主走査方向）に沿って直線往復駆動され、この結果、インクジェットヘッド５の往復移動が行われる。
【００３２】
左右の垂直部２ｖには、インクタンク２０を着脱可能に搭載する搭載部１０が形成されている。２つの搭載部１０は２色ずつのインクタンク２０を装着できるようになっており、このインクタンク２０の内部に形成されているインク袋２２が可撓性チューブ２８によって、インクジェットヘッド５のそれぞれの上部に位置する４つのサブタンク３０と接続される。なお、４つのサブタンク３０は、後述するようにインクジェットヘッド５とそれぞれ連通しているため、インクタンク２０からインクジェットヘッド５にインクが供給される。
【００３３】
フレーム２の水平部２ｈの上にはスライド機構１１が設置され、このスライド機構１１の上にプラテン（支持体）１２が支持される。このプラテン１２には印刷媒体を、その印刷したい部分が上面に来るように位置決めして、且つピンと張った皺のない平坦な状態でセットできるように固定フレーム（固定手段）１５が設けられている。なお、本実施の形態のインクジェットプリンタ１は、縫製済みＴシャツ（伸縮性を有する印刷媒体）１００にインクジェット印刷を行うものであるが、伸縮性を有する布帛全般に適用することができる。布帛には、綿糸、ナイロン糸、絹糸、ポリエステル糸、またはそれらの混紡糸などによって構成されたものを適用することができる。また、布帛の伸縮性は編み方などによって変化するが、天笠編みやフライス編みなど、その他種々の編み方で編まれた布帛であっても良く、素材自体が伸縮性を有し、その素材で構成された布帛でも適用することが可能である。
【００３４】
また、プラテン１２を図２の紙面垂直方向（スライド機構１１におけるスライド方向であって、インクジェットプリンタ１の副走査方向）に往復移動させるために、プラテン搬送機構が配設されている。このプラテン搬送機構については図示しないが、ラック、ピニオン機構や、無端ベルトを用いた機構などを適用することができる。
【００３５】
図３は、プラテンに印刷媒体をセットした状況を示しており、（ａ）は平面図であり、（ｂ）は図３（ａ）におけるＡ−Ａ断面図である。図３（ａ）、（ｂ）に示すようにプラテン１２は、平面視でキャリッジ４の往復移動方向と直交する方向に長手方向を有する長方形状とされるとともに、Ｔシャツ１００を支持する支持面１６を有している。また、図３（ｂ）の紙面垂直方向奥側のプラテン１２の下面は、それと対向する位置のスライド機構１１と支持部材１７によって連結されている。また、プラテン１２の長手方向に平行な両端上部が円弧形状とされている。
【００３６】
また、固定フレーム１５は、Ｌ字形状の断面を有するフレームがプラテン１２の支持面１６の４辺を覆うようにして構成されている。固定フレーム１５のプラテン１２の支持面１６と対向する面には、プラテン１２の支持面１６の面積より若干小さい開口面積を有する開口部１５ａが形成されている。また、プラテン１２の側面と対向する固定フレーム１５の内面には、ゴム製の滑り止め部材１９が設けられている。この滑り止め部材１９が設けられていることで、プラテン１２にＴシャツ１００をセットした場合において、プラテン１２の支持面１６の長手方向（Ｔシャツ１００の縦方向）及び短手方向（Ｔシャツ１００の横方向）の２方向にＴシャツ１００を引伸ばした状態でセットすることが可能となり、Ｔシャツ１００を皺のない状態で保持することができる。なお、プラテン１２にＴシャツ１００をセットする際は、Ｔシャツ１００の裾側からプラテン１２の支持面１６を覆うようにして被せ、固定フレーム１５で固定されている。また、固定フレーム１５はプラテン１２の図３（ｂ）の紙面垂直奥側の端部に設けられた回動部（図示しない）によって回動可能に設けられており、Ｔシャツ１００をプラテン１２に被せた後に固定フレーム１５をプラテン１２に嵌合するように回動させて、Ｔシャツ１００をプラテン１２とで挟むようにして固定している。
【００３７】
また、インクジェットプリンタ１はカバー１３を備えており、インクジェットヘッド５やスライド機構１１等を覆って保護できるようになっている。なお、図２においては、カバー１３の内部の様子を詳細に示すために、カバー１３を鎖線で描いて透視的に図示している。カバー１３の前面の図２中右上部には、液晶パネルや操作ボタンを備える操作パネル１４が配設されている。
【００３８】
図４は、インクジェットヘッドへのインク供給構成を示す概略図である。図４に示すように、インクジェットヘッド５の上部には、インクタンク２０からのインクを貯溜する貯溜空間３０ａを内部に有するサブタンク３０が設けられている。このサブタンク３０の図４中右上部には貯溜空間３０ａと連通する接続部２９が形成されており、可撓性チューブ２８が接続されている。可撓性チューブ２８の一端部側には、インクタンク２０の後述するキャップ２３を貫通する中空針２５が設けられており、その中空針２５を介して可撓性チューブ２８内へインクタンク２０のインクが流通する。なお、図２に示す４個のインクジェットヘッド５は、４色のインク（マゼンタ、イエロー、シアン、ブラック）に対応して、キャリッジ４の往復移動方向に沿って並設されており、それぞれに対応したインクタンク２０と可撓性チューブ２８でサブタンク３０を介して連通されている。
【００３９】
このように、インクタンク２０とサブタンク３０とを可撓性チューブ２８で連結することで、インクタンク２０内のインクをサブタンク３０に供給することができるとともに、インクタンク２０を取り換えやすい位置に設けることが可能となる。そのため、インクタンク２０のインクが無くなった場合に簡単にインクタンク２０を交換することができる。
【００４０】
図４に示すようにインクタンク２０は、合成樹脂製のハウジング２１の内部に、インク袋２２を備えた構成となっている。このインク袋２２は、脱気されたインクを内包している。インク袋２２は、その開口部を封止する樹脂製のスパウトを有し、このスパウトはシリコンゴム製またはブチルゴム製のキャップ２３を備えている。インク袋２２は、可撓性を有する複数のフィルムを熱圧着して形成されているパウチフィルムで構成されている。このパウチフィルムは最内側にポリプロピレン層が形成され、外側に向かって順に基材としてのポリエステル層と、そのポリエステル層に敷設されるガスバリア層としてのアルミ箔層と、フィルムの強度向上のためのナイロン層とが多重に積層された構造となっている。
【００４１】
キャップ２３には、可撓性チューブ２８の一端部側に設けられた中空針２５が貫通されている。インクタンク２０の内部のインクが無くなったときには、キャップ２３から中空針２５を抜いて、インクタンク２０ごと交換できるようになっている。
【００４２】
また、インクジェットヘッド５は、平面視でキャリッジ４の往復移動方向に垂直な長手方向を有する細長い長方形状とされるとともに、圧力室を含むインク流路が形成された流路ユニットと圧力室のインクに圧力を与えるアクチュエータとが貼り合わされたヘッド本体５ａを有している。ヘッド本体５ａの底面には、インクを下方に向けて吐出するための微小径の吐出ノズルが多数並べて形成されており、それら吐出ノズルがＴシャツ１００に接触しないようにカバー５ｂが設けられている。また、ヘッド本体５ａの上面にはサブタンク３０にネジ５ｅで取付けられるように両端部に貫通孔５ｄが形成された取付けプレート５ｃが設けられている。このようなヘッド本体５ａとカバー５ｂと取付けプレート５ｃとでインクジェットヘッド５が構成されている。なお、カバー５ｂは吐出ノズルからのインク吐出を妨げないように長方形状の開口部が形成された枠状のプレートからなる。
【００４３】
インクジェットヘッド５は、その下面がプラテン１２の支持面１６との間に少量の隙間を形成するように配置されており、Ｔシャツ１００に画像を印刷する際にプラテン１２にセットされたＴシャツ１００の印刷したい部分がその隙間に搬送される。この構成で、インクジェットヘッド５がキャリッジ４によって往復移動されつつＴシャツ１００上に吐出ノズルから各色のインクを吐出することで、所望のカラー画像をＴシャツ１００に形成できるようになっている。
【００４４】
また、インクジェットヘッド５のヘッド本体５ａ内の圧力室が作動し、インクに圧力を与えることで、吐出ノズルからインクが吐出される。インクが吐出されるとインクジェットヘッド５の内部のインク流路には負圧が生じ、その負圧によって自然にサブタンク３０からインクがインクジェットヘッド５に移動しつつ、可撓性チューブ２８内のインクがサブタンク３０の貯溜空間３０ａに移動する。そして、インクタンク２０内のインクが可撓性チューブ２８内に移動する。こうして、インクタンク２０のインクがインクジェットヘッド５に負圧により供給されることになる。
【００４５】
サブタンク３０は、キャリッジ４に固定するベースプレート３１と、内部にインクタンク２０からのインクを貯溜する貯溜空間３０ａを有するとともにほぼ直方体形状の本体３５とで構成されている。ベースプレート３１は、平面視でキャリッジ４の往復移動方向に垂直な長手方向を有する細長い長方形状とされるとともに、それ自体をキャリッジ４にネジで固定するための貫通孔３２ａ及びインクジェットヘッド５が取付けられるように内周面にネジ部が形成された貫通孔３２ｂとが形成されている。また、ベースプレート３１には本体３５の貯溜空間３０ａとインクジェットヘッド５のインク流路と連通するインク排出口３２が形成されており、それを介してインクタンク２０からのインクをインクジェットヘッド５に流通させている。
【００４６】
図１に示す印刷制御装置７０は、例えば、汎用のパーソナルコンピュータを用いて構成されており、本体７１、表示部７２としてのディスプレイ、操作部７５としてのキーボード７３及びマウス（ポインティングデバイス）７４を備えている。
【００４７】
図５は図１に示す印刷制御装置の構成を示したブロック図である。印刷制御装置７０は、ＣＰＵ（Ｃｅｎｔｒａｌ  Ｐｒｏｃｅｓｓｉｎｇ  Ｕｎｉｔ）８１、ＲＯＭ（Ｒｅａｄ  Ｏｎｌｙ  Ｍｅｍｏｒｙ）８２、ＲＡＭ（Ｒａｎｄｏｍ  Ａｃｃｅｓｓ  Ｍｅｍｏｒｙ）８３、ＨＤ（Ｈａｒｄ  Ｄｉｓｋ）８４、操作部７５、表示部７２、インターフェース（Ｉ／Ｆ）８５を備えており、これらは、バスを介して相互に接続されている。ＣＰＵ８１、ＲＯＭ８２、ＲＡＭ８３、ＨＤ８４は、印刷制御装置７０の本体７１内に組み込まれており、操作部７５はキーボード７３及びマウス７４によって構成されている。
【００４８】
ＨＤ８４には、印刷制御装置７０の動作を制御するために用いられる各種プログラムが格納されている。また、ＨＤ８４には、ソフトウェアによって作成された種々の画像データやＴシャツなどの印刷媒体の種類ごとの各種データ（表１に示すデータ）が格納されている。ＣＰＵ８１は、操作部７５によって入力された信号や、ＲＯＭ８２、ＨＤ８４、ＲＡＭ８３内の各種プログラムやデータに基づいて各種演算及び処理を行う。そして、インターフェース８５を介してインクジェットプリンタ１にデータ等を送信する。ＲＡＭ８３は、読み出し・書き込み可能な揮発性記憶装置であって、ＣＰＵ８１での各種演算結果等が記憶される。インターフェース８５は、インクジェットプリンタ１のインターフェースと接続されており、印刷制御装置７０とインクジェットプリンタ１との間の通信を可能にするものである。
【００４９】
図６は、印刷制御装置の機能ブロック図である。図６に示すように、印刷制御装置７０は、画像データ作成部９０と、画像データ記憶部９１及び各種印刷媒体の伸縮率記憶部（記憶手段）９２、画像データ拡縮部（画像データ拡縮手段）９３とを備えている。なお、本実施の形態においては、画像データ作成部９０と画像データ拡縮部９３は、ＣＰＵ８１によって実現され、画像データ記憶部９１及び伸縮率記憶部９２は、ＲＡＭ８３又はＨＤ８４によって構成される。
【００５０】
画像データ作成部９０は、画像データを作成するための周知の機能を備えたものであり、オペレータがキーボード７３やマウス７４を通じて入力した信号に基づいて、種々の画像データを作成する。画像データ記憶部９１は、ＣＤ−ＲＯＭ、ＦＤ、ＭＯなどのリムーバブル型記録媒体やインターネットなどから収集した画像データや画像データ作成部９０で作成された画像データを記憶する。
【００５１】
各種印刷媒体の伸縮率記憶部９２は、表１に示すように印刷媒体コード毎に、インクジェットプリンタ１のプラテン１２に印刷媒体を固定したときの伸縮率及び印刷された印刷媒体を使用したときの伸縮率のデータをオペレータによってキーボード７３及びマウス７４を通じて入力されて記憶する。なお、表１に示す印刷媒体コード毎の印刷媒体の種類はＴシャツだけを示しているが、水着等のその他の伸縮性を有する印刷媒体であっても良い。また、本実施の形態におけるＴシャツ１００の固定時の伸縮率は、Ｔシャツ１００が原形に回復可能な最大限の範囲としている。また、Ｔシャツ１００は平均的なユーザが着用したときにある程度伸縮するように設計されているため、その設計における伸縮率がＴシャツ１００の使用時の伸縮率となっている。また、Ｔシャツ１００の固定時及び使用時の伸縮率は、縦方向及び横方向の２方向の伸縮率をそれぞれ入力して伸縮率記憶部９２に記憶させている。
【００５２】
【表１】
2004291461.tif 000003
【００５３】
画像データ拡縮部９３は、オペレータがキーボード７３やマウス７４を通じて選択した印刷媒体コードに基づく伸縮率記憶部９２の伸縮率によって算出された拡縮率に基づいて、画像データ記憶部９１の印刷される印刷画像データを拡縮させて拡縮印刷画像データを作成する。つまり、本実施の形態においては、インクジェットプリンタ１でのＴシャツ１００への所望画像の印刷は、画像データ拡縮部９３で拡縮された拡縮印刷画像データに基づいて行われる。なお、画像データ拡縮部９３による拡縮印刷画像データも前述した画像データ記憶部９１に記憶され、そこからインクジェットプリンタ１に拡縮印刷画像データが送信される。
【００５４】
続いて、本実施の形態による印刷装置を用いたＴシャツ１００への所望画像の印刷工程について、以下に説明する。図７は、本発明の一実施の形態に係る印刷工程図である。
【００５５】
まず、図７に示すようにコンピュータのキーボード７３及びマウス７４を通じてＴシャツ１００に印刷したい画像データの作成又は選択をステップ（画像データ作成工程）Ｓ２０１で行う。画像データの作成は、コンピュータにインストールされたソフトウェアを使用して作成するか、予めＨＤ８４に記憶された画像データを選択する。
【００５６】
そして、Ｔシャツ１００をプラテン１２に固定するステップ（固定工程）Ｓ２０２を行う。つまり、Ｔシャツ１００はプラテン１２に裾から被せ、プラテン１２の支持面１６に沿わせて皺のない状態にしつつ固定フレーム１５で固定する。このとき、Ｔシャツ１００を原形に回復可能な範囲まで伸張させた状態にする。
【００５７】
次いで、予めオペレータによってキーボード７３及びマウス７４を通じて入力された表１に示す印刷媒体コードを選択するステップＳ２０３を行う。つまり、印刷するＴシャツ１００の印刷媒体コードを選択する。
【００５８】
次いで、ステップＳ２０１で作成された画像データまたは選択された画像データの印刷画像データがステップＳ２０３で印刷媒体コードを選択されることで、ステップ（画像データ拡縮工程）Ｓ２０４が行われる。つまり、ステップＳ２０４ではステップＳ２０３で選択された印刷媒体コード毎の伸縮率から印刷画像データを拡縮させる拡縮率を算出するとともに、それを用いて印刷画像データがＣＰＵ８１で演算処理され、拡縮印刷画像データが作成される。ステップＳ２０３の伸縮率から印刷画像データを拡縮させる拡縮率は、Ｔシャツ１００の固定時の縦方向の伸縮率をａとし、横方向の伸縮率をｂとし、Ｔシャツ１００の使用時の縦方向の伸縮率をｃとし、横方向の伸縮率をｄとした場合に、縦方向の拡縮率Ａはａ／ｃ＝Ａで求められ、横方向の伸縮率Ｂはｂ／ｄ＝Ｂで求められる。このようにＴシャツ１００に印刷する印刷画像データをＴシャツ１００の縦方向及び横方向の２方向に拡縮するそれぞれの拡縮率が求められて、拡縮印刷画像データが作成される。
【００５９】
こうして、拡縮率に基づいた拡縮された拡縮印刷画像データが正常に作成されたらステップ（インク吐出工程）Ｓ２０５に進む。そして、ステップＳ２０５でオペレータが印刷の実行を行うとその拡縮印刷画像データがインクジェットプリンタ１にインターフェース８５を介して送信され、拡縮印刷画像データに基づいてインクジェットヘッド５からインクが吐出されて、プラテン１２に固定されたＴシャツ１００に印刷が行われる。このような印刷工程によって、Ｔシャツなどの製品販売時における画像を規格サイズとしたものと異なり、Ｔシャツ１００の使用時の画像形状が所望の長さとなり、画像の縦横比が原画像のままとなるＴシャツ１００を得ることができる。
【００６０】
また、印刷工程は前述したものだけに限らず、例えば、後述する印刷工程であっても良い。図８は、本発明の一実施の形態に係る他の印刷工程図である。
【００６１】
図８に示すようにコンピュータのキーボード７３及びマウス７４を通じてＴシャツ１００に印刷したい画像データの作成又は選択をステップ（画像データ作成工程）Ｓ３０１で行う。画像データの作成は、コンピュータにインストールされたソフトウェアを使用して作成するか、予めＨＤ８４に記憶された画像データを選択する。
【００６２】
次いで、予めオペレータによってキーボード７３及びマウス７４を通じて入力され、設定された印刷画像データの拡縮率に基づいて、ステップＳ３０１で作成された画像データ又は選択された画像データの印刷画像データを拡縮させて拡縮印刷画像データの作成をステップ（画像データ拡縮工程）Ｓ３０２で行う。また、ステップＳ３０２で使用する拡縮率は、Ｔシャツの生地の編み方、素材などのデータに基づいて予め設定された値であるとともに、前述した伸縮率記憶部９２に表２に示すように印刷媒体コード毎に、印刷された印刷媒体を使用したときの伸縮率とともに、オペレータによってキーボード７３及びマウス７４を通じて入力されて記憶されている。
【００６３】
【表２】
2004291461.tif 000004
【００６４】
次いで、オペレータによってキーボード７３及びマウス７４を通じて入力された表２に示す印刷媒体コードを選択するステップＳ３０３を行う。ステップＳ３０３では、選択された印刷媒体コード毎の拡縮率及び伸縮率からＴシャツ１００をプラテン１２に固定するときの伸縮率が算出される。Ｔシャツ１００の固定時の伸縮率は、印刷画像データの画像の縦方向（Ｔシャツ１００に印刷された場合における画像の縦方向）の拡縮率をｅとし、横方向（Ｔシャツ１００に印刷された場合における画像の横方向）の拡縮率をｆとし、Ｔシャツ１００の使用時の伸縮率は前述と同様なために縦方向の伸縮率をｃとし、横方向の伸縮率をｄとした場合に、縦方向の固定時の伸縮率Ｃはｅ×ｃ＝Ｃで求められ、横方向の固定時の伸縮率Ｄはｆ×ｄ＝Ｄで求められる。このようにＴシャツ１００をプラテン１２に固定する際のＴシャツ１００の縦方向及び横方向の２方向の伸縮率がそれぞれ求められる。なお、Ｔシャツ１００の求められた固定時の伸縮率は、Ｔシャツ１００が原形に回復可能な範囲内で求められるようにして、表２の拡縮率が設定されている。
【００６５】
そして、Ｔシャツ１００をプラテン１２に固定するステップ（固定工程）Ｓ３０４を行う。つまり、Ｔシャツ１００はプラテン１２に裾から被せ、プラテン１２の支持面１６に沿わせて皺のない状態にしつつステップＳ３０３で求められたＴシャツ１００の固定時の伸縮率に応じて伸張させた状態で固定フレーム１５で固定する。
【００６６】
次いで、ステップ（インク吐出工程）Ｓ３０５に進むことで、ステップＳ３０２で作成された拡縮印刷画像データがインクジェットプリンタ１にインターフェース８５を介して送信され、拡縮印刷画像データに基づいてインクジェットヘッド５からインクが吐出されて、プラテン１２に固定されたＴシャツ１００に印刷が行われる。このような印刷工程によっても前述した印刷工程のようにＴシャツ１００の使用時の画像形状が所望の長さとなり、画像の縦横比が原画像のままとなるＴシャツ１００を得ることができる。
【００６７】
以上のような印刷装置の印刷工程によって、図９に示すようなＴシャツ１００の画像が得られる。なお、以下に示すＴシャツ１００の画像は、便宜上、前述した２種類の印刷工程のうち、前者の印刷工程によるものについて示すが、後者の印刷工程であっても同様なＴシャツ１００の画像を得ることができる。
【００６８】
図９は、一実施の形態に係る印刷装置で画像を印刷した印刷媒体の製品販売時の状態、印刷時の状態及び使用時の状態ごとの画像サイズを示す拡大図である。図９に示すＴシャツ１００に印刷された最も小さな星型の画像１１１が製品販売時の画像サイズを示し、最も大きな星型の画像１１３が印刷時の画像サイズを示している。また、各画像１１１，１１３のほぼ中間に示された星型の画像１１２は、印刷装置によって画像が印刷されたＴシャツ１００の使用時における画像サイズを示している。
【００６９】
本実施の形態における印刷装置では、Ｔシャツ１００を原形に回復可能な最大限の範囲で伸張させつつプラテン１２の支持面１６に固定フレーム１５で固定し、その固定時のＴシャツ１００の伸張率（伸縮率）とＴシャツ１００の使用時における伸張率（伸縮率）とで算出された拡縮率に基づいて拡縮された拡縮印刷画像データをＴシャツ１００に印刷している。つまり、Ｔシャツ１００に画像を印刷するときは、そのＴシャツ１００を伸張させた状態であるために、印刷終了後にＴシャツ１００をプラテン１２から取外した際にＴシャツ１００が縮むとともに印刷された画像も縮み、図９に示すように最も小さな星型画像１１１となる。Ｔシャツ１００の製品販売時では当然、Ｔシャツ１００に張力などが加えられていないので、画像サイズが小さな状態のままとなる。また、Ｔシャツ１００をユーザが着用した際には、Ｔシャツ１００がある程度引伸ばされるため、図９に示すように最も小さな星型画像１１１より星型画像１１２のように画像サイズが大きくなる。また、最も大きな星型画像１１３は、Ｔシャツ１００が原形に回復可能な範囲で最大限伸張されて画像が印刷されているために、星型画像１１２よりも大きな画像サイズとなる。従って、Ｔシャツ１００の使用時の星型画像１１２は印刷時よりも小さくなるために、十分な画像の色濃度を保つことができる。
【００７０】
以上のような、印刷装置でＴシャツ１００に印刷することで、Ｔシャツ１００の使用時の画像形状を所望の長さに近いものとすることができる。つまり、Ｔシャツの製品販売時における画像を規格サイズとしたものでは、Ｔシャツの着用時において画像が拡大され、それの画像は縦又は横方向に伸びて拡大されるので、使用時の画像形状が所望の長さよりも長くなってしまうとともに、画像の色濃度が減少するが、それと比較して本発明による印刷装置で印刷されたＴシャツ１００の画像は、固定時及び使用時の伸縮率により算出された拡縮率によって拡縮された拡縮印刷画像データに基づいて印刷されているために、使用時の画像形状が所望の長さ通りになるとともに、印刷時の画像サイズよりも着用時の画像サイズが小さくなるので、画像の色濃度を十分保つことが可能となる。また、本実施の形態による印刷装置によるＴシャツ１００の画像は、原形に回復可能な範囲で伸張された状態のＴシャツ１００の伸縮率に基づいて、拡大された拡縮印刷画像データにより印刷されているため、Ｔシャツ１００の使用時おける画像の色濃度がより濃くなり、且つ鮮明な画像を有するＴシャツ１００となる。
【００７１】
また、Ｔシャツ１００の使用時に所望サイズとなるように印刷画像データを画像データ拡縮部で拡縮することで、Ｔシャツ１００の画像が使用時に所望サイズの状態となって、Ｔシャツ１００の使用時における画像形状を所望の長さに近いものとすることができる。また、ＲＡＭ、ＨＤに印刷媒体ごとの固定時の伸縮率及び使用時の伸縮率を記憶させているので、印刷画像データを容易に拡縮することが可能となり作業性が向上する。
【００７２】
また、Ｔシャツ１００の印刷したい部分をプラテン１２の支持面１６上において直交となる２方向（Ｔシャツ１００の縦方向及び横方向）に伸縮させた状態の伸縮率に応じて印刷画像データをＴシャツ１００の縦方向及び横方向に拡縮させることで、Ｔシャツ１００の使用時における画像の縦横比を所望の値とすることができる。
【００７３】
【実施例】
図１０はＴシャツに印刷される前の画像データの画像を示した図である。図１０に示す画像３００は前述した印刷装置の画像データ作成部９０で作成された画像データである。この画像３００の画像データを印刷画像データとして後述する条件のもとでＴシャツ３０１，３０２に印刷した。また、同じ画像３００の画像データを印刷画像データとして後述する条件のもとでＴシャツ３０３，３０４に印刷した。
【００７４】
［第１実施例］
図１１は、本発明による一実施の形態に係る印刷装置で画像が印刷されたＴシャツであり、着用時の画像状態を示す概略図である。図１１に示すＴシャツ３０１は、フライス編みで編まれた綿１００％のものである。このＴシャツ３０１は、縦方向及び横方向の最大伸縮率がともに２００％であるが、プラテン１２からＴシャツ３０１を取外した際に原形に回復可能な縦方向及び横方向の伸縮率はともに１８０％であるため、縦方向及び横方向の伸縮率がともに１８０％となるようにしてプラテン１２に固定フレーム１５で固定した。また、Ｔシャツ３０１は縦方向に１００％、横方向に１２０％に伸縮した状態で着用する寸法で設計されていることから、印刷画像データを縦方向に１８０％、横方向に１５０％拡大した拡大印刷画像データをインクジェットプリンタ１に送信し、拡大印刷画像データに基づいてインクジェットプリンタ１でＴシャツ３０１の胸部に画像３００ａを印刷した。なお、図１１はＴシャツ３０１を着用した時の胸部に描かれた画像状態を示すものであるため、画像３００ａは印刷した時の画像サイズより若干小さいものとなる。
【００７５】
［第２実施例］
図１２は、本発明による一実施の形態に係る印刷装置で画像が印刷されたＴシャツであり、着用時の画像状態を示す概略図である。図１２に示すＴシャツ３０２は、フライス編みで編まれた綿１００％のものである。このＴシャツ３０２は、縦方向及び横方向の最大伸縮率がともに２００％であるが、プラテン１２からＴシャツ３０２を取外した際に原形に回復可能な縦方向及び横方向の伸縮率はともに１８０％であるため、縦方向及び横方向の伸縮率がともに１８０％となるようにしてプラテン１２に固定フレーム１５で固定した。また、Ｔシャツ３０２は縦方向に１００％、横方向に１５０％に伸縮した状態で着用する寸法で設計されていることから、印刷画像データを縦方向に１８０％、横方向に１２０％拡大した拡大印刷画像データをインクジェットプリンタ１に送信し、拡大印刷画像データに基づいてインクジェットプリンタ１でＴシャツ３０２の胸部に画像３００ｂを印刷した。なお、図１２はＴシャツ３０２を着用した時の胸部に描かれた画像状態を示すものであるため、画像３００ｂは印刷した時の画像サイズより若干小さいものとなる。
【００７６】
［第１比較例］
図１３は、従来技術の印刷装置で画像が印刷されたＴシャツであり、着用時の画像状態を示す概略図である。図１３に示すＴシャツ３０３は、フライス編みで編まれた綿１００％のものである。このＴシャツ３０３は、縦方向に１００％、横方向に１２０％に伸縮した状態で着用する寸法で設計されている。Ｔシャツ３０３を引伸ばしたりせず、そのままプラテンに固定するとともに、印刷画像データを拡縮させずにそのままの印刷画像データをインクジェットプリンタに送信し、印刷画像データに基づいてインクジェットプリンタでＴシャツ３０３の胸部に画像３００ｃを印刷した。なお、図１３はＴシャツ３０３を着用した時の胸部に描かれた画像状態を示すものであり、画像３００ｃは拡大されずに印刷されているので、Ｔシャツ３０３を着用したときに画像３００ｃが横方向に若干伸びている。
【００７７】
［第２比較例］
図１４は、従来技術の印刷装置で画像が印刷されたＴシャツであり、着用時の画像状態を示す概略図である。図１４に示すＴシャツ３０４は、フライス編みで編まれた綿１００％のものである。このＴシャツ３０４は、縦方向に１００％、横方向に１５０％に伸縮した状態で着用する寸法で設計されている。Ｔシャツ３０４を引伸ばしたりせず、そのままプラテンに固定するとともに、印刷画像データを拡縮させずにそのままの印刷画像データをインクジェットプリンタに送信し、印刷画像データに基づいてインクジェットプリンタでＴシャツ３０４の胸部に画像３００ｄを印刷した。なお、図１４はＴシャツ３０４を着用した時の胸部に描かれた画像状態を示すものであり、画像３００ｄは拡大されずに印刷されているので、Ｔシャツ３０４を着用したときに画像３００ｄが横方向に伸びている。
【００７８】
表３は第１実施例、第２実施例、第１比較例および第２比較例の４つのＴシャツ３０１〜３０４の着用時における画像３００ａ〜３００ｄの色濃度及び画像３００ａ〜３００ｄの客観的視覚評価を示す。なお、色濃度は測色計で黒濃度（ＯＤ値）を測定した結果を示し、客観的視覚評価としては、印刷画像データの画像（図１０に示す画像）３００を非常によく表現できている＝○とし、表現できていると感じるが少し違和感がある＝△とし、表現できていない＝×として評価している。
【００７９】
【表３】
2004291461.tif 000005
【００８０】
表３に示すように、色濃度はＯＤ（Ｏｐｔｉｃａｌ  Ｄｅｎｓｉｔｙ：光学濃度）値が１．２以上あると一般的に十分に黒いと判断されており、第１比較例及び第２比較例の画像３００ｃ，３００ｄのＯＤ値はともに１．２未満に対して、第１実施例及び第２実施例の画像３００ａ，３００ｂのＯＤ値はともに１．２以上あり、色濃度が十分に保たれている。また、客観的視覚評価においても第１実施例及び第２実施例の画像３００ａ，３００ｂはともに印刷画像データの画像３００を非常によく表現できているのに対し、第２比較例の画像３００ｄは横方向に伸びてしまい、表現できていない。また、第１比較例の画像３００ｃは△の評価であり、表現はできていると感じられるが、やはり印刷画像データの画像３００と見比べると横方向に若干伸びており少し違和感がある。
【００８１】
以上のように、第１実施例及び第２実施例では、印刷画像データをＴシャツ３０１，３０２の着用時及び固定時の伸縮率をもとに算出された拡縮率に応じて、拡縮された拡縮印刷画像データに基づいてインクジェットプリンタ１で印刷しているために、着用時のＴシャツ３０１，３０２の画像３００ａ，３００ｂ形状が所望の長さに近いものとなり、色濃度が十分に保たれたものとなっている。
【００８２】
以上、本発明の好適な実施の形態について説明したが、本発明は上述の実施の形態に限られるものではなく、特許請求の範囲に記載した限りにおいてさまざまな設計変更が可能なものである。例えば、本実施の形態のような印刷装置の印刷制御装置７０が１台のコンピュータだけでなく、複数台のコンピュータでネットワーク化されたものであっても良い。また、印刷装置の印刷制御装置には、記憶手段及び操作部がなくてもよく、印刷媒体の固定時の伸縮率及び使用時の伸縮率から拡縮率を求め、その拡縮率によって印刷画像データを拡縮させて拡縮印刷画像データを作成する画像データ拡縮手段を有する印刷制御装置であれば良い。また、印刷装置のインクジェットプリンタ１は印刷媒体にインクを吐出するインク吐出部と印刷媒体を支持する支持体と支持体に印刷媒体を伸縮させた状態で固定する固定手段を備えておればよく、特に限定するものではない。また、Ｔシャツの固定時及び使用時の伸縮率は、直交する２方向だけでなく複数の方向又は１方向であっても良く、それによって算出された拡縮率で印刷画像データを拡縮して拡縮画像データに基づいた画像をインクジェットプリンタで印刷すればよい。
【００８３】
本実施の形態におけるＴシャツ１００のプラテン１２への固定状態は、Ｔシャツ１００を伸張させた状態であるが、Ｔシャツを縮めた状態で固定した際に固定時の伸縮率及び使用時の伸縮率から縮小率を算出しつつ、印刷画像データが縮小された縮小印刷画像データに基づいて、Ｔシャツに印刷することも可能である。こうして、Ｔシャツに印刷された画像も固定時及び使用時の伸縮率に応じて縮小された縮小印刷画像データに基づいて印刷されているために上述した実施の形態のように印刷媒体の使用時の画像形状を所望の長さに近いものとすることができる。
【００８４】
【発明の効果】
以上説明したように、本発明によると、印刷媒体の伸縮率及び印刷媒体の使用時の伸縮率に応じて拡縮された拡縮印刷画像データに基づいて、印刷媒体にインクを吐出して画像を印刷するので、印刷媒体の使用時の画像形状を所望の長さに近いものとすることができる。
【図面の簡単な説明】
【図１】本発明の一実施の形態に関わる印刷装置の全体的な構成を示す概略図である。
【図２】図１に示すインクジェットプリンタの全体的な構成を示す正面図である。
【図３】プラテンに印刷媒体をセットした状況を示しており、（ａ）は平面図であり、（ｂ）は図３（ａ）におけるＡ−Ａ断面図である。
【図４】インクジェットヘッドへのインク供給構成を示す概略図である。
【図５】図１に示す印刷制御装置の構成を示したブロック図である。
【図６】図１に示す印刷制御装置の機能ブロック図である。
【図７】本発明の一実施の形態に係る印刷工程図である。
【図８】本発明の一実施の形態に係る他の印刷工程図である。
【図９】一実施の形態に係る印刷装置で画像を印刷した印刷媒体の製品販売時の状態、印刷時の状態及び使用時の状態ごとの画像サイズを示す拡大図である。
【図１０】Ｔシャツに印刷される前の画像データの画像を示した図である。
【図１１】本発明による一実施の形態に係る印刷装置で画像が印刷されたＴシャツであり、着用時の画像状態を示す概略図である。
【図１２】本発明による一実施の形態に係る印刷装置で画像が印刷されたＴシャツであり、着用時の画像状態を示す概略図である。
【図１３】従来技術の印刷装置で画像が印刷されたＴシャツであり、着用時の画像状態を示す概略図である。
【図１４】従来技術の印刷装置で画像が印刷されたＴシャツであり、着用時の画像状態を示す概略図である。
【符号の説明】
１  インクジェットプリンタ
４  キャリッジ
５  インクジェットヘッド（インク吐出部）
１２  プラテン（支持体）
１５  固定フレーム（固定手段）
１６  支持面
７０  印刷制御装置
７１  本体
７２  表示部
７３  キーボード（操作部）
７４  マウス（操作部）
９１  画像データ記憶部（記憶手段）
９２  伸縮率記憶部（記憶手段）
９３  画像データ拡縮部（画像データ拡縮手段）
【図１】
2004291461.tif 000006
【図２】
2004291461.tif 000007
【図３】
2004291461.tif 000008
【図４】
2004291461.tif 000009
【図５】
2004291461.tif 000010
【図６】
2004291461.tif 000011
【図７】
2004291461.tif 000012
【図８】
2004291461.tif 000013
【図９】
2004291461.tif 000014
【図１０】
2004291461.tif 000015
【図１１】
2004291461.tif 000016
【図１２】
2004291461.tif 000017
【図１３】
2004291461.tif 000018
【図１４】
2004291461.tif 000019